(57)【要約】      （修正有）【課題】鉛直方向軸線を有するガラスびんのヒール部に設けられたモールドコードの読取り。【解決手段】光源はびんの下方に配置され、びんに向けて同軸に光ビームを差し向ける。内側円錐状反射器は、外側円錐状反射面を有しており、びんと光源との間に、びんの軸線と同軸になるように配置され、光源からの光ビームを受けて、それを第１の円錐形の光ビームとして反射する。外側リング状反射器は、内側円錐状反射面を有し、第１の円錐形の光ビームを受け、この光ビームを、びんのヒール部に設けられたモールドコードに差し向けられる第２の円錐形の光ビームとして反射する。第２の円錐形の光ビームはモールドコードから反射して、第２の円錐形の光の経路を引き返す。ＣＣＤカメラおよびビームスプリッタが内側円錐状反射器と光源との間に設けられており、内側円錐状反射面からの反射光の一部をモールドコードを撮像するためのＣＣＤカメラのほうに差し向ける。【選択図】図１
2008192140.tif 000002
【特許請求の範囲】
【請求項１】
鉛直方向軸線を有するガラスびんのヒール部に設けられるモールドコードを調べるための機械において、
びんに向かって鉛直方向に、同軸方向に上方に光ビームを差し向ける、びんの下方に設けられる光源と、
びんと前記光源との間に配置される、外側円錐状反射面を有する内側円錐状反射器であって、びんの軸線と同軸であり、前記光源からの光ビームを受けて第１の円錐形の光ビームを反射する、内側円錐状反射器と、
内側円錐状反射面を有する外側リング状反射器であって、前記第１の円錐形の光ビームを受け、前記第１の円錐形の光ビームを、びんのヒール部に設けられるモールドコードに差し向けられる第２の円錐形の光ビームとして反射する、外側リング状反射器と、
を備え、前記第２の円錐形の光ビームは、上記モールドコードから反射し、前記第２の円錐形の光の経路を戻り、
前記機械はさらに、
画像を取得するＣＣＤカメラと、
前記内側円錐状反射器と前記光源との間に配置され、前記内側円錐状反射面から反射された光の一部を前記ＣＣＤカメラのほうへ向けさせるための、ビームスプリッタと、
前記ＣＣＤカメラにより取得された画像を分析するプロセッサと、
を備える、機械。
【請求項２】
請求項１に記載のガラスびんのヒール部に設けられるモールドコードを調べるための機械において、
前記光源から受けられて第１の円錐形の光ビームとして反射される光ビームは、円錐形の光ビームである、機械。
【請求項３】
請求項２に記載のガラスびんのヒール部に設けられるモールドコードを調べるための機械において、更に、前記ビームスプリッタにより差し向けられた前記光ビームの前記一部を捉える光ブロッカーを備える、機械。
【発明の詳細な説明】
【技術分野】
【０００１】
本発明は、ガラス製容器のヒール部に形成されたモールド番号を調べる機械に関する。
【背景技術】
【０００２】
ガラス製容器またはびんは、いくつかの同一のセクションから成り立っている機械であるＩ．Ｓ．機械（独立セクション型機械：Ｉｎｄｉｖｉｄｕａｌ  Ｓｅｃｔｉｏｎ  ｍａｃｈｉｎｅ）内で形成される。各セクションは、いくつかのびんを製造することができる。もし形成されたびんがその後に検査に合格しないなら、びんが形成されたモールド（ｍｏｌｄ）を知ることは有用であり、したがって、びんは通常、モールドコード（ｍｏｌｄ  ｃｏｄｅ）とともに形成される。そのようなコードの１つには、びんがブローモールド内で形成されるときに形成されるガラスの凸状の点（ドット）によって画定されるものがある。これらの凸状の点は、びんのヒール部分において、だいたい水平面上に延びている。米国特許第６，０４９，３８９号および第６，７９５，１７６号は、ヒール部のコードのモールド番号読み取り装置を示している。代替的なコードには、びんの底部に形成された複数の点（ドット）から形成することができるものがある（特開昭６１−２７８７４０号公報）
【特許文献１】米国特許第６，０４９，３８９号
【特許文献２】米国特許第６，７９５，１７６号
【特許文献３】特開昭６１−２７８７４０号公報
【発明の開示】
【発明が解決しようとする課題】
【０００３】
本発明の目的は、改良されたモールド番号読み取り装置を提供することである。
【課題を解決するための手段】
【０００４】
上記目的を達成するため、本発明は、上下方向に軸線を有するガラスびんのヒール部に設けられるモールドコードを検査するための機械において、びんに向かって鉛直方向に、同軸で上方に光を差し向けるように構成されている、びんの下方に設けられる光源と、びんと前記光源との間に配置される、外側円錐状反射面を有する内側円錐状反射器であって、びんの軸線と同軸であり、前記光源からの光ビームを受けて第１の円錐形の光ビームを反射する、内側円錐状反射器と、内側円錐状反射面を有する外側リング状反射器であって、前記第１の円錐形の光ビームを受け、前記第１の円錐形の光ビームを、びんのヒール部に設けられるモールドコードに差し向けられる第２の円錐形の光ビームとして反射する、外側リング状反射器と、を備え、前記第２の円錐形の光ビームは、上記モールドコードから反射し、前記第２の円錐形の光の経路を戻り、前記機械はさらに、画像を取得するＣＣＤカメラと、前記内側円錐状反射器と前記光源との間に配置され、前記内側円錐状反射面から反射された光の一部を前記ＣＣＤカメラのほうへ向けさせるための、ビームスプリッタと、前記ＣＣＤカメラにより取得された画像を分析するプロセッサと、を備える、ことを特徴とする機械を提供するものである。
【０００５】
本発明の記載部分のこの他の目的及び利点は、本発明の原理を組み込んだ現在の好ましい実施例を特許法の定めるところに従って例示する添付図面から明らかになるであろう。
【発明を実施するための最良の形態】
【０００６】
本発明は、現在の好ましい実施例を特許法の定めに従って例示する以下の添付概略図から明らかになるであろう。
検査すべきびん１０は、検査ステーションに設けられている対向する複数対のベルトコンベヤ１２によって鉛直方向に向けられて支持されている。複数の凸状の点（ドット）１４の形態で形成されたモールドコードが、びんのヒール部の環状の部分に形成されている。びんは、保護用の窓１６の上方に配置される。保護用の窓１６は、外側反射面２０を有する内側円錐状反射器１８と、内側円錐状反射面２４を有する外側リング状反射器２２とを支持する。内側円錐状反射器１８および外側リング状反射器２２は、びんの軸線２６と同軸である。光源３０は、光を、びんの方へ同軸方向にさし向ける。同軸のビームスプリッタ３２が、光源３０と内側円錐状反射器１８との間に配置され、光ビームの一部を光ブロック部すなわち遮断部またはトラップ部（ｔｒａｐ）３４の方へ向ける。光ビームの残りは、内側円錐状反射器１８に到達する。第１の円錐形の照明光３５は、内側円錐状反射器１８により、第２の円錐形の照明ビーム３６として、外側リング状反射器２２に向けて反射される。第２の円錐形の照明ビーム３６は、外側リング状反射器から、ドットコード（ｄｏｔ  ｃｏｄｅ）が配置されているびんのヒール部の環状エリアに向けて方向づけられた第３の円錐形の照明ビーム３８として、反射される。この第３の円錐形の光のビームは、これらのドットに反射して、第３の円錐形のビーム、第２の円錐形のビーム、および第１の円錐形のビームとして、光源に向かって、これらの正確な経路を戻る。ビームスプリッタ３２は、引き返してきた円錐形のビームの一部の方向を変えて、ドットコードの隆起部（ｂｕｍｐ）に反射した光を撮像することができるＣＣＤあるいはこれと類似のカメラ４０に向かうようにする。画像処理用プロセッサ４２は、撮像されたモールドコードを画定する。
【図面の簡単な説明】
【０００７】
【図１】図１は、本発明の好ましい一実施形態を示す概略図である。
【符号の説明】
【０００８】
１２  コンベヤ
１４  ドット
１６  保護用窓
１８  内側円錐状反射器
２０  外側反射面
２２  外側リング状反射器
２４  内側円錐状反射面
３０  光源
３２  ビームスプリッタ
３４  光遮断部
４０  カメラ
４２  プロセッサ
【図１】
2008192140.tif 000003